(57)【要約】【課題】傘の生地の重なりに残りやすい水滴を効率良く取り除くとともに、傘全体を短時間で乾燥させることができる傘収納具を提供することを目的とする。【解決手段】開口部より折り畳み傘を収納できる大きさの、防湿性のある素材で形成した収納具と、この収納具の内部に備えた、折り畳み傘の内側に折り畳まれた生地部位や該折り畳み傘の水分を吸収し、乾燥することができる乾燥剤と、前記収納具の開口部を開閉することができる開閉具とで傘収納具を構成している。【選択図】        図１
2004181106.tif 000002
【特許請求の範囲】
【請求項１】
開口部より折り畳み傘等を収納できる大きさの、防湿性のある素材で形成した収納具と、この収納具の内部に備えた、折り畳み傘等の内側に折り畳まれた生地部位や該折り畳み傘等の水分を吸収し、乾燥することができる乾燥剤と、前記収納具の開口部を開閉することができる開閉具とからなることを特徴とする傘収納具。
【請求項２】
開口部より折り畳み傘等を収納できる大きさの、防湿性のある素材で形成した収納具と、この収納具の内部に備えた乾燥剤と、折り畳み傘等の内側に折り畳まれた生地部位や該折り畳み傘等の水分を吸収し、乾燥することができる吸水材と、前記収納具の開口部を開閉することができる開閉具とからなることを特徴とする傘収納具。
【請求項３】
開口部より折り畳み傘等を収納できる大きさの、防湿性のある素材で形成した収納具と、この収納具の内部に備えた乾燥剤と、折り畳み傘等の内側に折り畳まれた生地に接する形状に、乾燥剤で形成された吸水材と、前記収納具の開口部を開閉することができる開閉具とからなることを特徴とする傘収納具。
【発明の詳細な説明】
【０００１】
【発明が属する技術分野】
本発明は、折り畳み傘や三段折り畳み傘等の傘収納具に関するものである。
【０００２】
【従来の技術】
従来、傘収納具は、傘全体を、乾燥剤を用いて乾燥させるものであった。
【０００３】
【発明が解決しようとする課題】
従来の傘収納具は、傘全体を、乾燥剤を用いて乾燥させようとするので、傘の中心部位から内側に折り畳まれる傘の生地が、折り重なり、水滴がなかなか無くならないという欠点があった。
【０００４】
本発明は、以上のような従来の欠点に鑑み、傘の生地の重なりに残りやすい水滴を効率良く取り除くとともに、傘全体を少ない乾燥剤を用いて短時間で乾燥させることができる傘収納具を提供することを目的としている。
【０００５】
本発明の前記ならびにそのほかの目的と新規な特徴は次の説明を添付図面と照らし合わせて読むと、より完全に明らかになるであろう。ただし、図面はもっぱら解説のためのものであって、本発明の技術的範囲を限定するものではない。
【０００６】
【課題を解決するための手段】
上記目的を達成するために、本発明は、開口部より折り畳み傘等を収納できる大きさの、防湿性のある素材で形成した収納具と、この収納具の内部に備えた、折り畳み傘等の内側に折り畳まれた生地部位や該折り畳み傘等の水分を吸収し、乾燥することができる乾燥剤と、前記収納具の開口部を開閉することができる開閉具とで傘収納具を構成している。
【０００７】
【発明の実施の形態】
以下、図面に示す実施の形態により、本発明を詳細に説明する。
【０００８】
図１ないし図７に示す本発明の第１の実施の形態において、１は本発明の傘収納具で、この傘収納具１は、開口部より折り畳み傘２を収納できる大きさの、防湿性のある素材で形成した収納具３と、この収納具３の内部に備えた、折り畳み傘２の内側に折り畳まれた生地部位や該折り畳み傘２の水分を吸収し、乾燥することができる乾燥剤４と、前記収納具３の開口部を開閉することができる開閉具５とで構成されている。
【０００９】
前記乾燥剤４には、折り畳み傘２の内側に折り畳まれた生地部位に接するように配置された骨材６、この骨材６を覆うように設けられた、水分を吸収する布７とからなる第１の乾燥剤４ａと、この第１の乾燥剤４ａに取り付けられた、前記収納具３の収納具部内面に沿うように形成された、基布９に接着されたシリカゲル１０に、包装材８を覆った第２の乾燥剤４ｂとで構成されている。前記包装材８には、通気性のあるもので、吸水性があると、該包装材８で、予め吸水させてから、乾燥剤により乾燥させることができる。
なお、折り畳み傘２の内側に折り畳まれた生地部位に接する乾燥剤４と、折り畳み傘２全体を乾燥する乾燥剤４は、一体に成形されても良いし、取り付けても良いし、それぞれが、独立しても良い。
また、水分を吸収する布７は、布の柔軟性により、広範囲に、移動可能な状態で水分を吸収する。水分を吸収する布７等として、ガーゼ、柔軟性の少ない布、表面にモップ状の繊維のある布、ろ紙のような紙類、スポンジ類等が考えられるが、同様の効果があれば、他の物でもよい。例えば、図７は、表面にモップ状の繊維のある布の例である。
さらに、包装材８および基布９は、前記水分を吸収する布７として使用してもよく、乾燥剤４の吸湿の度合いがわかるようにインジケーターを付けてもよい。
【００１０】
前記開閉具５は、湿気や水を通さない構造、例えば、チャック、ファスナー、紐、面ファスナー等、本実施の形態では図６に示すようなチャックを使用し、目的に応じて選択的に使用することができる。
【００１１】
上記構成の傘収納具１は、使用状態において、乾燥剤４により、折り畳み傘２を乾燥する。
【００１２】
【発明の異なる実施の形態】
次に、図８ないし図１４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図８に示す本発明の第２の実施の形態において、前記本発明の第１の実施の形態と主に異なる点は、収納具３の内部に備えた乾燥剤４ｂと、折り畳み傘２の内側に折り畳まれた生地部位や該折り畳み傘２の水分を吸収し、乾燥することができる吸水材１１とからなる乾燥剤４Ａを用いた点で、このように構成した傘収納具１Ａにしても、前記本発明の第１の実施の形態と同様な作用効果が得られる。なお、前記吸水材１１は、水分を吸収する布７等で、説明したような材質の物を用いて、乾燥剤４によって乾燥させる。あるいは、吸水ポリマーを用いて、取り替え可能にする。
【００１４】
図９に示す本発明の第３の実施の形態において、前記本発明の第１の実施の形態と主に異なる点は、収納具３の内部に備えた乾燥剤４ｂと、折り畳み傘２の内側に折り畳まれた生地に接する形状に、乾燥剤で形成された吸水材１２とからなる乾燥剤４Ｂを用いた点で、このように構成した傘収納具１Ｂにしても、前記本発明の第１の実施の形態と同様な作用効果が得られる。
【００１５】
図１０に示す本発明の第４の実施の形態において、前記本発明の第１の実施の形態と主に異なる点は、収納具としての、開閉可能な容器１３を用いた点で、このように構成した傘収納具１Ｃにしても、前記本発明の第１の実施の形態と同様な作用効果が得られる。
【００１６】
図１１に示す本発明の第５の実施の形態において、前記本発明の第１の実施の形態と主に異なる点は、バッグやポーチ等の、持ち運びできる形状に形成されたバッグ本体１４と、このバッグ本体１４に設けられた収納具部１５である、収納具としてのバッグ１６を用いた点で、このように構成した傘収納具１Ｄにしても、前記本発明の第１の実施の形態と同様な作用効果が得られる。なお、収納具部１５は、バッグ本体１４の内部および外部のどちらに設けても良い。
【００１７】
図１２に示す本発明の第６の実施の形態において、前記本発明の第１の実施の形態と主に異なる点は、折り畳み可能な収納具３Ａを用いた点で、このように構成した傘収納具１Ｅにしても、前記本発明の第１の実施の形態と同様な作用効果が得られる。なお、傘収納具１Ｅを、いくつに折り畳んでも、巻いても、同様である。留め具１７は、適したものなら素材や形状等は問わない。
【００１８】
図１３および図１４に示す本発明の第７の実施の形態において、前記本発明の第１の実施の形態と主に異なる点は、折り畳み傘２と同様の形状に形成された収納具３Ｂを用いた点で、このように構成した傘収納具１Ｆにしても、前記本発明の第１の実施の形態と同様な作用効果が得られる。なお、この傘収納具１Ｆは、折り畳み傘２を畳むのと同時に、折り畳むことができる。また、図１３および図１４は、収納具３の収納部位に、折り畳み傘２の水分を吸収し、乾燥することができる吸水材１１と、折り畳み傘２の内側に折り畳まれた生地部位に、乾燥剤で形成した吸水材１２を備えている例である。
【００１９】
【発明の効果】
以上の説明から明らかなように、本発明にあっては次に列挙する効果が得られる。
【００２０】
（１）開口部より折り畳み傘を収納できる大きさの、防湿性のある素材で形成した収納具と、この収納具の内部に備えた、折り畳み傘の内側に折り畳まれた生地部位や該折り畳み傘の水分を吸収し、乾燥することができる乾燥剤と、前記収納具の開口部を開閉することができる開閉具とで構成されているので、折り畳み傘の内側に残りやすい水滴を容易に取り除くことができる。
【００２１】
（２）前記（１）によって、折り畳み傘全体を、短時間で、効率良く乾燥できる。
【００２２】
（３）請求項２、３も前記（１）〜（２）と同様な効果が得られる。
【図面の簡単な説明】
【図１】本発明の第１の実施の形態の説明図。
【図２】本発明の第１の実施の形態の部分的な説明図。
【図３】本発明の第１の実施の形態の使用状態を示す説明図。
【図４】本発明の第１の実施の形態の傘の収納状態を示す説明図。
【図５】本発明の第１の実施の形態の乾燥剤の一例を示す断面図。
【図６】開閉具５としてのチャックの仕組みを示す断面図。
【図７】モップ状の水分を吸収する布７の説明図。
【図８】本発明の第２の実施の形態の説明図。
【図９】本発明の第３の実施の形態の説明図。
【図１０】本発明の第４の実施の形態の説明図。
【図１１】本発明の第５の実施の形態の説明図。
【図１２】本発明の第６の実施の形態の説明図。
【図１３】本発明の第７の実施の形態の説明図。
【図１４】本発明の第７の実施の形態の収納状態を示す説明図。
【符号の説明】
１    傘収納具
２    折り畳み傘
３    収納具
４    乾燥剤
５    開閉具としてのチャック
５Ａ  開閉具としてのファスナー
５Ｂ  開閉具
６    骨材
７    水分を吸収する布
８    包装材
９    基布
１０    シリカゲル
１１    吸水材
１２    乾燥剤で形成した吸水材
１３    容器
１４    バッグ本体
１５    収納具部
１６    バッグ
１７    留め具
【図１】
2004181106.tif 000003
【図２】
2004181106.tif 000004
【図３】
2004181106.tif 000005
【図４】
2004181106.tif 000006
【図５】
2004181106.tif 000007
【図６】
2004181106.tif 000008
【図７】
2004181106.tif 000009
【図８】
2004181106.tif 000010
【図９】
2004181106.tif 000011
【図１０】
2004181106.tif 000012
【図１１】
2004181106.tif 000013
【図１２】
2004181106.tif 000014
【図１３】
2004181106.tif 000015
【図１４】
2004181106.tif 000016